(57)【要約】【課題】  株式等の売買注文を対象に、注文者から受け付けた一の売買委託注文に基づいて、売買取引を執行する取引所システムやＰＴＳなどの複数の取引執行システムへ売買注文を連続して発注することが可能な売買注文発注システムを提供する。【解決手段】  注文者から受け付けた売買委託注文に関する情報を注文レコードに、取引所やＰＴＳの取引執行システムに発注する売買注文に関する情報を発注レコードに格納し、１の注文レコードに２以上の異なる取引執行システムに発注した発注レコードを関連付けるよう構成して、複数の取引執行システムへの売買注文の連続発注を可能にする。注文レコードには、売買委託注文の約定状況、第２の取引執行システムへの引継ぎに関する情報を記憶することによって、注文レコードから連続発注の要否を判断する。本発明を信用取引の返済注文に適用すると、新規建玉を注文した市場と異なる市場への連続発注も可能になる。【選択図】        図１
2008016009.tif 000002
【特許請求の範囲】
【請求項１】
注文者から受け付けた一の売買委託注文に基づいて、売買取引を執行する複数の取引執行システムへ、売買注文を連続して発注する売買注文発注システムであって、
前記売買委託注文に関する情報を、売買委託注文毎に設けられた注文レコードに格納した注文レコード格納手段と、
前記売買注文に関する情報を、売買注文毎に設けられた発注レコードに、売買注文の基となる売買委託注文にかかる注文レコードと関連付けて格納した発注レコード格納手段と、
第１の取引執行システムにおいて売買注文が約定しない場合に第２の取引執行システムへ売買注文を発注することを条件として指定した売買委託注文を受け付けると、前記売買委託注文に指定された前記第１の取引執行システム、前記第２の取引執行システム、注文数量、売買委託注文の約定状況、注文期限を少なくとも記憶した前記売買委託注文にかかる注文レコードを作成して、前記注文レコード格納手段に格納する注文レコード作成手段と、
前記売買委託注文に基づいて前記第１の取引執行システムに前記注文数量を発注する第１の売買注文について、前記第１の売買注文の発注内容を少なくとも記憶した前記第１の売買注文にかかる第１の発注レコードを作成し、前記注文レコードと関連付けて、前記発注レコード格納手段に格納する第１の発注レコード作成手段と、
前記第１発注レコードに指定された発注内容に基づいて、前記第１の取引執行システムに前記第１の売買注文の執行依頼を送信する第１の発注手段と、
前記第１の取引執行システムから、前記第１の売買注文の少なくとも一部が約定したことを示す約定情報を受信すると、前記第１の売買注文と関連付けられた注文レコードの売買委託注文の約定状況を、前記約定情報を反映して更新する約定状況更新手段と、
前記第１の取引執行システムにおける取引執行時間が終了すると、前記注文レコード格納手段において、売買委託注文の約定状況から未約定残数量があることが特定され、かつ注文期限が到来しておらず、かつ前記第２の取引執行システムが指定された注文レコードを特定し、前記注文レコードに指定された第２の取引執行システムに前記未約定数量を発注する第２の売買注文について、前記第２の売買注文の発注内容を少なくとも記憶した前記第２の売買注文にかかる第２の発注レコードを作成して、前記発注レコード格納手段に格納する第２の発注レコード作成手段と、
前記第２の取引執行システムへの発注時間として指定された時間に到達すると、前記第２発注レコードに指定された発注内容に基づいて、前記第２の取引執行システムに前記第２の売買注文の執行依頼を送信する第２の発注手段と、
を備えることを特徴とする売買注文発注システム。
【請求項２】
注文者から受け付けた一の売買委託注文に基づいて、売買取引を執行する複数の取引執行システムへ、売買注文を連続して発注する売買注文発注システムであって、
前記売買委託注文に関する情報を、売買委託注文毎に設けられた注文レコードに格納した注文レコード格納手段と、
前記売買注文に関する情報を、売買注文毎に設けられた発注レコードに、売買注文の基となる売買委託注文にかかる注文レコードと関連付けて格納した発注レコード格納手段と、
第１の取引執行システムにおいて売買注文が約定しない場合に第２の取引執行システムへ売買注文を発注することを条件として指定した売買委託注文を受け付けると、前記売買委託注文に指定された前記第１の取引執行システム、前記第２の取引執行システム、注文数量、売買委託注文の約定状況、注文期限を少なくとも記憶した前記売買委託注文にかかる注文レコードを作成して、前記注文レコード格納手段に格納する注文レコード作成手段と、
前記売買委託注文に基づいて前記第１の取引執行システムに前記注文数量を発注する第１の売買注文について、前記第１の売買注文の発注内容、売買注文の約定状況を少なくとも記憶した前記第１の売買注文にかかる第１の発注レコードを作成し、前記注文レコードと関連付けて、前記発注レコード格納手段に格納する第１の発注レコード作成手段と、
前記第１発注レコードに指定された発注内容に基づいて、前記第１の取引執行システムに前記第１の売買注文の執行依頼を送信する第１の発注手段と、
前記第１の取引執行システムから、前記第１の売買注文の少なくとも一部が約定したことを示す約定情報を受信すると、前記第１の発注レコードの売買注文の約定状況を、前記約定情報を反映して更新する第１の約定状況更新手段と、
前記第１の発注レコードの売買注文の約定状況が更新されると、前記第１の発注レコードと関連付けられた注文レコードの売買委託注文の約定状況を、前記第１の発注レコードの売買注文の約定状況を反映して更新する第２の約定状況更新手段と、
前記第１の取引執行システムにおける取引執行時間が終了すると、前記注文レコード格納手段において、売買委託注文の約定状況から未約定残数量があることが特定され、かつ注文期限が到来しておらず、かつ前記第２の取引執行システムが指定された注文レコードを特定し、前記注文レコードに指定された第２の取引執行システムに前記未約定数量を発注する第２の売買注文について、前記第２の売買注文の発注内容を少なくとも記憶した前記第２の売買注文にかかる第２の発注レコードを作成して、前記発注レコード格納手段に格納する第２の発注レコード作成手段と、
前記第２の取引執行システムへの発注時間として指定された時間に到達すると、前記第２発注レコードに指定された発注内容に基づいて、前記第２の取引執行システムに前記第２の売買注文の執行依頼を送信する第２の発注手段と、
を備えることを特徴とする売買注文発注システム。
【請求項３】
前記売買委託注文は株式の信用取引における売り注文であって、
注文者の操作する端末に、前記売り注文を発注する市場を選択する選択欄を含む売り注文の注文条件の入力画面を表示させる表示ファイルを送信する入力画面送信手段と、
前記入力画面の前記選択欄において選択された市場に関する情報を受信して、前記市場に関する情報に指定された市場を識別し、前記市場に対応する取引執行システムを特定する発注市場識別手段と、を備えていて、
前記注文レコード作成手段は、前記発注市場識別手段が２つの取引執行システムを特定した場合に、１の取引執行システムを前記第１の取引執行システムとして、他の１の取引執行システムを前記第２の取引執行システムとして記憶した注文レコードを作成すること
を特徴とする請求項１又は２記載の売買注文発注システム。
【請求項４】
注文者から受け付けた一の売買委託注文に基づいて、売買取引を執行する複数の取引執行システムへ、売買注文を連続して発注する売買注文発注システムであって、
前記売買委託注文に関する情報を、売買委託注文毎に設けられた注文レコードに格納した注文レコード格納手段と、
前記売買注文に関する情報を、売買注文毎に設けられた発注レコードに、売買注文の基となる売買委託注文にかかる注文レコードと関連付けて格納した発注レコード格納手段と、
第１の取引執行システムにおいて売買注文が約定しない場合に第２の取引執行システムへ売買注文を発注することを条件として指定した売買委託注文を受け付けると、前記売買委託注文に指定された前記第１の取引執行システム、注文数量、売買委託注文の約定状況、注文期限を少なくとも記憶した前記売買委託注文にかかる注文レコードを作成して、前記注文レコード格納手段に格納する注文レコード作成手段と、
前記売買委託注文に基づいて前記第１の取引執行システムに前記注文数量を発注する第１の売買注文について、前記第１の売買注文の発注内容を少なくとも記憶した前記第１の売買注文にかかる第１の発注レコードを作成し、前記注文レコードと関連付けて、前記発注レコード格納手段に格納する第１の発注レコード作成手段と、
前記第１発注レコードに指定された発注内容に基づいて、前記第１の取引執行システムに前記第１の売買注文の執行依頼を送信する第１の発注手段と、
前記第１の取引執行システムから、前記第１の売買注文の少なくとも一部が約定したことを示す約定情報を受信すると、前記第１の売買注文と関連付けられた注文レコードの売買委託注文の約定状況を、前記約定情報を反映して更新する約定状況更新手段と、
前記第１の取引執行システムにおける取引執行時間が終了すると、前記注文レコード格納手段において、売買委託注文の約定状況から未約定残数量があることが特定され、かつ注文期限が到来しておらず、かつ前記第２の取引執行システムが指定された注文レコードを特定し、予め指定された第２の取引執行システムに、前記注文レコードに指定された前記未約定数量を発注する第２の売買注文について、前記第２の売買注文の発注内容を少なくとも記憶した前記第２の売買注文にかかる第２の発注レコードを作成して、前記発注レコード格納手段に格納する第２の発注レコード作成手段と、
前記第２の取引執行システムへの発注時間として指定された時間に到達すると、前記第２発注レコードに指定された発注内容に基づいて、前記第２の取引執行システムに前記第２の売買注文の執行依頼を送信する第２の発注手段と、
を備えることを特徴とする売買注文発注システム。
【請求項５】
注文者から受け付けた一の売買委託注文に基づいて、売買取引を執行する複数の取引執行システムへ、売買注文を連続して発注する売買注文発注システムであって、
前記売買委託注文に関する情報を、売買委託注文毎に設けられた注文レコードに格納した注文レコード格納手段と、
前記売買注文に関する情報を、売買注文毎に設けられた発注レコードに、売買注文の基となる売買委託注文にかかる注文レコードと関連付けて格納した発注レコード格納手段と、
第１の取引執行システムにおいて売買注文が約定しない場合に第２の取引執行システムへ売買注文を発注することを条件として指定した売買委託注文を受け付けると、前記売買委託注文に指定された前記第１の取引執行システム、注文数量、売買委託注文の約定状況、注文期限を少なくとも記憶した前記売買委託注文にかかる注文レコードを作成して、前記注文レコード格納手段に格納する注文レコード作成手段と、
前記売買委託注文に基づいて前記第１の取引執行システムに前記注文数量を発注する第１の売買注文について、前記第１の売買注文の発注内容、売買注文の約定状況を少なくとも記憶した前記第１の売買注文にかかる第１の発注レコードを作成し、前記注文レコードと関連付けて、前記発注レコード格納手段に格納する第１の発注レコード作成手段と、
前記第１発注レコードに指定された発注内容に基づいて、前記第１の取引執行システムに前記第１の売買注文の執行依頼を送信する第１の発注手段と、
前記第１の取引執行システムから、前記第１の売買注文の少なくとも一部が約定したことを示す約定情報を受信すると、前記第１の発注レコードの売買注文の約定状況を、前記約定情報を反映して更新する第１の約定状況更新手段と、
前記第１の発注レコードの売買注文の約定状況が更新されると、前記第１の発注レコードと関連付けられた注文レコードの売買委託注文の約定状況を、前記第１の発注レコードの売買注文の約定状況を反映して更新する第２の約定状況更新手段と、
前記第１の取引執行システムにおける取引執行時間が終了すると、前記注文レコード格納手段において、売買委託注文の約定状況から未約定残数量があることが特定され、かつ注文期限が到来しておらず、かつ前記第２の取引執行システムが指定された注文レコードを特定し、予め指定された第２の取引執行システムに、前記注文レコードに指定された前記未約定数量を発注する第２の売買注文について、前記第２の売買注文の発注内容を少なくとも記憶した前記第２の売買注文にかかる第２の発注レコードを作成して、前記発注レコード格納手段に格納する第２の発注レコード作成手段と、
前記第２の取引執行システムへの発注時間として指定された時間に到達すると、前記第２発注レコードに指定された発注内容に基づいて、前記第２の取引執行システムに前記第２の売買注文の執行依頼を送信する第２の発注手段と、
を備えることを特徴とする売買注文発注システム。
【請求項６】
前記売買委託注文は株式の信用取引における売り注文であって、
注文者の操作する端末に、前記売り注文を発注する市場を選択する選択欄を含む売り注文の注文条件の入力画面を表示させる表示ファイルを送信する入力画面送信手段と、
前記入力画面の前記選択欄において選択された市場に関する情報を受信して、前記市場に関する情報に指定された市場を識別し、前記市場に対応する取引執行システムを特定する発注市場識別手段と、を備えていて、
前記注文レコード作成手段は、前記発注市場識別手段が前記第２の取引執行システムを含む２つの取引執行システムを特定した場合に、前記第２の取引システムの他の取引執行システムを前記第１の取引執行システムとして記憶した注文レコードを作成すること
を特徴とする請求項４又は５記載の売買注文発注システム。
【請求項７】
注文者から受け付けた一の売買委託注文に基づいて、売買取引を執行する複数の取引執行システムへ、売買注文を連続して発注し、前記売買委託注文に関する情報を、売買委託注文毎に設けられた注文レコードに格納した注文レコード格納部と、前記売買注文に関する情報を、売買注文毎に設けられた発注レコードに、売買注文の基となる売買委託注文にかかる注文レコードと関連付けて格納した発注レコード格納部と、を備える売買注文発注システムにより実行される売買注文発注方法であって、
前記売買注文発注システムが、第１の取引執行システムにおいて売買注文が約定しない場合に第２の取引執行システムへ売買注文を発注することを条件として指定した売買委託注文を受け付けると、前記売買委託注文に指定された前記第１の取引執行システム、前記第２の取引執行システム、注文数量、売買委託注文の約定状況、注文期限を少なくとも記憶した前記売買委託注文にかかる注文レコードを作成して、前記注文レコード格納部に格納するステップと、
前記売買注文発注システムが、前記売買委託注文に基づいて前記第１の取引執行システムに前記注文数量を発注する第１の売買注文について、前記第１の売買注文の発注内容を少なくとも記憶した前記第１の売買注文にかかる第１の発注レコードを作成し、前記注文レコードと関連付けて、前記発注レコード格納部に格納するステップと、
前記売買注文発注システムが、前記第１発注レコードに指定された発注内容に基づいて、前記第１の取引執行システムに前記第１の売買注文の執行依頼を送信するステップと、
前記売買注文発注システムが、前記第１の取引執行システムから、前記第１の売買注文の少なくとも一部が約定したことを示す約定情報を受信すると、前記第１の売買注文と関連付けられた注文レコードの売買委託注文の約定状況を、前記約定情報を反映して更新するステップと、
前記売買注文発注システムが、前記第１の取引執行システムにおける取引執行時間が終了すると、前記注文レコード格納部において、売買委託注文の約定状況から未約定残数量があることが特定され、かつ注文期限が到来しておらず、かつ前記第２の取引執行システムが指定された注文レコードを特定し、前記注文レコードに指定された第２の取引執行システムに前記未約定数量を発注する第２の売買注文について、前記第２の売買注文の発注内容を少なくとも記憶した前記第２の売買注文にかかる第２の発注レコードを作成して、前記発注レコード格納部に格納するステップと、
前記売買注文発注システムが、前記第２の取引執行システムへの発注時間として指定された時間に到達すると、前記第２発注レコードに指定された発注内容に基づいて、前記第２の取引執行システムに前記第２の売買注文の執行依頼を送信するステップと、
を有することを特徴とする売買注文発注方法。
【請求項８】
注文者から受け付けた一の売買委託注文に基づいて、売買取引を執行する複数の取引執行システムへ、売買注文を連続して発注し、前記売買委託注文に関する情報を、売買委託注文毎に設けられた注文レコードに格納した注文レコード格納部と、前記売買注文に関する情報を、売買注文毎に設けられた発注レコードに、売買注文の基となる売買委託注文にかかる注文レコードと関連付けて格納した発注レコード格納部と、を備える売買注文発注システムにより実行される売買注文発注方法であって、
前記売買注文発注システムが、第１の取引執行システムにおいて売買注文が約定しない場合に第２の取引執行システムへ売買注文を発注することを条件として指定した売買委託注文を受け付けると、前記売買委託注文に指定された前記第１の取引執行システム、前記第２の取引執行システム、注文数量、売買委託注文の約定状況、注文期限を少なくとも記憶した前記売買委託注文にかかる注文レコードを作成して、前記注文レコード格納部に格納するステップと、
前記売買注文発注システムが、前記売買委託注文に基づいて前記第１の取引執行システムに前記注文数量を発注する第１の売買注文について、前記第１の売買注文の発注内容、売買注文の約定状況を少なくとも記憶した前記第１の売買注文にかかる第１の発注レコードを作成し、前記注文レコードと関連付けて、前記発注レコード格納部に格納するステップと、
前記売買注文発注システムが、前記第１発注レコードに指定された発注内容に基づいて、前記第１の取引執行システムに前記第１の売買注文の執行依頼を送信するステップと、
前記売買注文発注システムが、前記第１の取引執行システムから、前記第１の売買注文の少なくとも一部が約定したことを示す約定情報を受信すると、前記第１の発注レコードの売買注文の約定状況を、前記約定情報を反映して更新するステップと、
前記売買注文発注システムが、前記第１の発注レコードの売買注文の約定状況が更新されると、前記第１の発注レコードと関連付けられた注文レコードの売買委託注文の約定状況を、前記第１の発注レコードの売買注文の約定状況を反映して更新するステップと、
前記売買注文発注システムが、前記第１の取引執行システムにおける取引執行時間が終了すると、前記注文レコード格納部において、売買委託注文の約定状況から未約定残数量があることが特定され、かつ注文期限が到来しておらず、かつ前記第２の取引執行システムが指定された注文レコードを特定し、前記注文レコードに指定された第２の取引執行システムに前記未約定数量を発注する第２の売買注文について、前記第２の売買注文の発注内容を少なくとも記憶した前記第２の売買注文にかかる第２の発注レコードを作成して、前記発注レコード格納部に格納するステップと、
前記売買注文発注システムが、前記第２の取引執行システムへの発注時間として指定された時間に到達すると、前記第２発注レコードに指定された発注内容に基づいて、前記第２の取引執行システムに前記第２の売買注文の執行依頼を送信するステップと、
を有することを特徴とする売買注文発注方法。
【請求項９】
前記売買委託注文は株式の信用取引における売り注文であって、
前記売買注文発注システムが、注文者の操作する端末に、前記売り注文を発注する市場を選択する選択欄を含む売り注文の注文条件の入力画面を表示させる表示ファイルを送信するステップと、
前記売買注文発注システムが、前記入力画面の前記選択欄において選択された市場に関する情報を受信して、前記市場に関する情報に指定された市場を識別し、前記市場に対応する取引執行システムを特定するステップと、を有していて、
前記注文レコードを作成して前記注文レコード格納部に格納するステップでは、前記取引執行システムを特定するステップで２つの取引執行システムを特定した場合に、１の取引執行システムを前記第１の取引執行システムとして、他の１の取引執行システムを前記第２の取引執行システムとして記憶した注文レコードを作成すること
を特徴とする請求項７又は８記載の売買注文発注方法。
【請求項１０】
注文者から受け付けた一の売買委託注文に基づいて、売買取引を執行する複数の取引執行システムへ、売買注文を連続して発注し、前記売買委託注文に関する情報を、売買委託注文毎に設けられた注文レコードに格納した注文レコード格納部と、前記売買注文に関する情報を、売買注文毎に設けられた発注レコードに、売買注文の基となる売買委託注文にかかる注文レコードと関連付けて格納した発注レコード格納部と、を備える売買注文発注システムにより実行される売買注文発注方法であって、
前記売買注文発注システムが、第１の取引執行システムにおいて売買注文が約定しない場合に第２の取引執行システムへ売買注文を発注することを条件として指定した売買委託注文を受け付けると、前記売買委託注文に指定された前記第１の取引執行システム、注文数量、売買委託注文の約定状況、注文期限を少なくとも記憶した前記売買委託注文にかかる注文レコードを作成して、前記注文レコード格納部に格納するステップと、
前記売買注文発注システムが、前記売買委託注文に基づいて前記第１の取引執行システムに前記注文数量を発注する第１の売買注文について、前記第１の売買注文の発注内容を少なくとも記憶した前記第１の売買注文にかかる第１の発注レコードを作成し、前記注文レコードと関連付けて、前記発注レコード格納部に格納するステップと、
前記売買注文発注システムが、前記第１発注レコードに指定された発注内容に基づいて、前記第１の取引執行システムに前記第１の売買注文の執行依頼を送信するステップと、
前記売買注文発注システムが、前記第１の取引執行システムから、前記第１の売買注文の少なくとも一部が約定したことを示す約定情報を受信すると、前記第１の売買注文と関連付けられた注文レコードの売買委託注文の約定状況を、前記約定情報を反映して更新するステップと、
前記売買注文発注システムが、前記第１の取引執行システムにおける取引執行時間が終了すると、前記注文レコード格納部において、売買委託注文の約定状況から未約定残数量があることが特定され、かつ注文期限が到来しておらず、かつ前記第２の取引執行システムが指定された注文レコードを特定し、予め指定された第２の取引執行システムに、前記注文レコードに指定された前記未約定数量を発注する第２の売買注文について、前記第２の売買注文の発注内容を少なくとも記憶した前記第２の売買注文にかかる第２の発注レコードを作成して、前記発注レコード格納部に格納するステップと、
前記売買注文発注システムが、前記第２の取引執行システムへの発注時間として指定された時間に到達すると、前記第２発注レコードに指定された発注内容に基づいて、前記第２の取引執行システムに前記第２の売買注文の執行依頼を送信するステップと、
を有することを特徴とする売買注文発注方法。
【請求項１１】
注文者から受け付けた一の売買委託注文に基づいて、売買取引を執行する複数の取引執行システムへ、売買注文を連続して発注し、前記売買委託注文に関する情報を、売買委託注文毎に設けられた注文レコードに格納した注文レコード格納部と、前記売買注文に関する情報を、売買注文毎に設けられた発注レコードに、売買注文の基となる売買委託注文にかかる注文レコードと関連付けて格納した発注レコード格納部と、を備える売買注文発注システムにより実行される売買注文発注方法であって、
前記売買注文発注システムが、第１の取引執行システムにおいて売買注文が約定しない場合に第２の取引執行システムへ売買注文を発注することを条件として指定した売買委託注文を受け付けると、前記売買委託注文に指定された前記第１の取引執行システム、注文数量、売買委託注文の約定状況、注文期限を少なくとも記憶した前記売買委託注文にかかる注文レコードを作成して、前記注文レコード格納部に格納するステップと、
前記売買注文発注システムが、前記売買委託注文に基づいて前記第１の取引執行システムに前記注文数量を発注する第１の売買注文について、前記第１の売買注文の発注内容、売買注文の約定状況を少なくとも記憶した前記第１の売買注文にかかる第１の発注レコードを作成し、前記注文レコードと関連付けて、前記発注レコード格納部に格納するステップと、
前記売買注文発注システムが、前記第１発注レコードに指定された発注内容に基づいて、前記第１の取引執行システムに前記第１の売買注文の執行依頼を送信するステップと、
前記売買注文発注システムが、前記第１の取引執行システムから、前記第１の売買注文の少なくとも一部が約定したことを示す約定情報を受信すると、前記第１の発注レコードの売買注文の約定状況を、前記約定情報を反映して更新するステップと、
前記売買注文発注システムが、前記第１の発注レコードの売買注文の約定状況が更新されると、前記第１の発注レコードと関連付けられた注文レコードの売買委託注文の約定状況を、前記第１の発注レコードの売買注文の約定状況を反映して更新するステップと、
前記売買注文発注システムが、前記第１の取引執行システムにおける取引執行時間が終了すると、前記注文レコード格納部において、売買委託注文の約定状況から未約定残数量があることが特定され、かつ注文期限が到来しておらず、かつ前記第２の取引執行システムが指定された注文レコードを特定し、予め指定された第２の取引執行システムに、前記注文レコードに指定された前記未約定数量を発注する第２の売買注文について、前記第２の売買注文の発注内容を少なくとも記憶した前記第２の売買注文にかかる第２の発注レコードを作成して、前記発注レコード格納部に格納するステップと、
前記売買注文発注システムが、前記第２の取引執行システムへの発注時間として指定された時間に到達すると、前記第２発注レコードに指定された発注内容に基づいて、前記第２の取引執行システムに前記第２の売買注文の執行依頼を送信するステップと、
を有することを特徴とする売買注文発注方法。
【請求項１２】
前記売買委託注文は株式の信用取引における売り注文であって、
前記売買注文発注システムが、注文者の操作する端末に、前記売り注文を発注する市場を選択する選択欄を含む売り注文の注文条件の入力画面を表示させる表示ファイルを送信するステップと、
前記売買注文発注システムが、前記入力画面の前記選択欄において選択された市場に関する情報を受信して、前記市場に関する情報に指定された市場を識別し、前記市場に対応する取引執行システムを特定するステップと、を有していて、
前記注文レコードを作成して前記注文レコード格納部に格納するステップでは、前記取引執行システムを特定するステップで前記第２の取引執行システムを含む２つの取引執行システムを特定した場合に、前記第２の取引システムの他の取引執行システムを前記第１の取引執行システムとして記憶した注文レコードを作成すること
を特徴とする請求項１０又は１１記載の売買注文発注方法。
【発明の詳細な説明】
【技術分野】
【０００１】
本発明は、株式等の売買注文を対象に、注文者から受け付けた一の売買委託注文に基づいて、売買取引を執行する取引所システムや私設取引システムなどの複数の取引執行システムへ、売買注文を連続して発注する売買注文発注システム及び売買注文発注方法に関するものである。
【背景技術】
【０００２】
株式等の金融商品の取引は、通常は取引所において行われており、証券会社等が注文者からの売買委託注文に基づいて、取引所に売買注文を発注する。証券会社等において行われる注文の受付や発注は、コンピュータシステムを用いて処理されることが一般的になっている。
【０００３】
証券会社等における注文のコンピュータ処理によって、昨今は発注のタイミングを制御した様々な条件注文が提供されるようになっている。例えば、時間や価格をトリガ条件として設定する発明（例えば、特許文献１参照。）によって提供される発注条件付の注文や、第１の注文の約定後に第２の注文を自動発注する発明（例えば、特許文献２参照。）によって、複数の売買注文の連続発注などの受け付けが可能になっている。
【０００４】
【特許文献１】特開２００１−１５５０８６号公報
【特許文献２】特開２００２−１８３４４６号公報
【発明の開示】
【発明が解決しようとする課題】
【０００５】
株式の売買注文の執行について、かつては証券取引所に上場している株式の売買は証券取引所のみでしか行えないという取引所集中義務が定められていた。しかしながら、平成１０年に施行されたいわゆる「金融システム改革法」によって取引所集中義務が撤廃され、証券取引所以外の私設取引システム（ＰＴＳ；Ｐｒｏｐｒｉｅｔａｒｙ  Ｔｒａｄｉｎｇ  Ｓｙｓｔｅｍ）において、証券取引所に上場している株式の売買を執行することが認められることとなっている。また、平成１７年には、ＰＴＳにおいて証券取引所と同様のオークション方式による売買の執行が認められ、利便性の高いＰＴＳの登場が期待されるようになっている。
【０００６】
ＰＴＳに対するニーズが特に強いと考えられるのが、証券取引所の立会時間終了後において売買注文を執行する、いわゆる「夜間取引」である。ＰＴＳによって立会時間終了後の取引が可能になると、証券会社に「証券取引所に発注した注文が約定しなかった場合には、そのまま同条件の注文をＰＴＳに発注する」といった売買注文が委託されることが考えられる。
【０００７】
上記のような注文を受け付けるためには、証券会社では、注文者から受け付けた一の売買委託注文に基づいて、まず証券取引所へ売買注文を発注し、該売買注文が約定しない場合にはＰＴＳへ売買注文を発注するという、一の売買委託注文から二以上の売買注文を連続して発注する技術が求められることになる。
【０００８】
これに対して、特許文献１記載の発明は、証券取引所等の取引システムへ個々の売買注文を発注するタイミングを制御することが可能であるため、他の注文の約定をトリガとして設定すれば、複数の売買委託注文を連続発注することは可能になるものの、あくまで連続発注の基となる売買委託注文は異なるものであることが前提であり、上記の課題に対応することはできない。また、証券取引所とＰＴＳの異なる取引執行システムへの発注を可能にするものでもない。
【０００９】
特許文献２記載の発明についても同様で、あくまで連続発注が行われる注文は注文者から異なる注文として受け付けたものであることが前提であり、かつ証券取引所とＰＴＳの異なる取引執行システムへの発注を可能にするものでもないため、上記の課題に対応することはできない。
【００１０】
このような証券取引所からＰＴＳへと連続して発注することができる注文は、返済期限の制限があることが多いために、注文を発注した場合にはできるだけ約定の確度を高くしたい信用取引の返済注文において特に有効である。現在は信用取引の返済注文は、新規建玉を発注した市場にしか発注できないことが通常であるが、これをＰＴＳへも引き継げるように、あるいはＰＴＳで新規建玉を発注した後に他市場で返済注文を発注できるものとすることが好ましい。
【００１１】
本発明は、このような課題に対応するためになされたものであり、株式等の売買注文を対象に、注文者から受け付けた一の売買委託注文に基づいて、売買取引を執行する取引所システムや私設取引システムなどの複数の取引執行システムへ、売買注文を連続して発注することが可能な、売買注文発注システム及び売買注文発注方法を提供することを目的とするものである。
【課題を解決するための手段】
【００１２】
本願にかかる課題を解決する第１の発明は、注文者から受け付けた一の売買委託注文に基づいて、売買取引を執行する複数の取引執行システムへ、売買注文を連続して発注する売買注文発注システムであって、前記売買委託注文に関する情報を、売買委託注文毎に設けられた注文レコードに格納した注文レコード格納手段と、前記売買注文に関する情報を、売買注文毎に設けられた発注レコードに、売買注文の基となる売買委託注文にかかる注文レコードと関連付けて格納した発注レコード格納手段と、第１の取引執行システムにおいて売買注文が約定しない場合に第２の取引執行システムへ売買注文を発注することを条件として指定した売買委託注文を受け付けると、前記売買委託注文に指定された前記第１の取引執行システム、前記第２の取引執行システム、注文数量、売買委託注文の約定状況、注文期限を少なくとも記憶した前記売買委託注文にかかる注文レコードを作成して、前記注文レコード格納手段に格納する注文レコード作成手段と、前記売買委託注文に基づいて前記第１の取引執行システムに前記注文数量を発注する第１の売買注文について、前記第１の売買注文の発注内容を少なくとも記憶した前記第１の売買注文にかかる第１の発注レコードを作成し、前記注文レコードと関連付けて、前記発注レコード格納手段に格納する第１の発注レコード作成手段と、前記第１発注レコードに指定された発注内容に基づいて、前記第１の取引執行システムに前記第１の売買注文の執行依頼を送信する第１の発注手段と、前記第１の取引執行システムから、前記第１の売買注文の少なくとも一部が約定したことを示す約定情報を受信すると、前記第１の売買注文と関連付けられた注文レコードの売買委託注文の約定状況を、前記約定情報を反映して更新する約定状況更新手段と、前記第１の取引執行システムにおける取引執行時間が終了すると、前記注文レコード格納手段において、売買委託注文の約定状況から未約定残数量があることが特定され、かつ注文期限が到来しておらず、かつ前記第２の取引執行システムが指定された注文レコードを特定し、前記注文レコードに指定された第２の取引執行システムに前記未約定数量を発注する第２の売買注文について、前記第２の売買注文の発注内容を少なくとも記憶した前記第２の売買注文にかかる第２の発注レコードを作成して、前記発注レコード格納手段に格納する第２の発注レコード作成手段と、前記第２の取引執行システムへの発注時間として指定された時間に到達すると、前記第２発注レコードに指定された発注内容に基づいて、前記第２の取引執行システムに前記第２の売買注文の執行依頼を送信する第２の発注手段と、を備えることを特徴とする売買注文発注システムである。
【００１３】
本願にかかる課題を解決する第２の発明は、注文者から受け付けた一の売買委託注文に基づいて、売買取引を執行する複数の取引執行システムへ、売買注文を連続して発注する売買注文発注システムであって、前記売買委託注文に関する情報を、売買委託注文毎に設けられた注文レコードに格納した注文レコード格納手段と、前記売買注文に関する情報を、売買注文毎に設けられた発注レコードに、売買注文の基となる売買委託注文にかかる注文レコードと関連付けて格納した発注レコード格納手段と、第１の取引執行システムにおいて売買注文が約定しない場合に第２の取引執行システムへ売買注文を発注することを条件として指定した売買委託注文を受け付けると、前記売買委託注文に指定された前記第１の取引執行システム、前記第２の取引執行システム、注文数量、売買委託注文の約定状況、注文期限を少なくとも記憶した前記売買委託注文にかかる注文レコードを作成して、前記注文レコード格納手段に格納する注文レコード作成手段と、前記売買委託注文に基づいて前記第１の取引執行システムに前記注文数量を発注する第１の売買注文について、前記第１の売買注文の発注内容、売買注文の約定状況を少なくとも記憶した前記第１の売買注文にかかる第１の発注レコードを作成し、前記注文レコードと関連付けて、前記発注レコード格納手段に格納する第１の発注レコード作成手段と、前記第１発注レコードに指定された発注内容に基づいて、前記第１の取引執行システムに前記第１の売買注文の執行依頼を送信する第１の発注手段と、前記第１の取引執行システムから、前記第１の売買注文の少なくとも一部が約定したことを示す約定情報を受信すると、前記第１の発注レコードの売買注文の約定状況を、前記約定情報を反映して更新する第１の約定状況更新手段と、前記第１の発注レコードの売買注文の約定状況が更新されると、前記第１の発注レコードと関連付けられた注文レコードの売買委託注文の約定状況を、前記第１の発注レコードの売買注文の約定状況を反映して更新する第２の約定状況更新手段と、前記第１の取引執行システムにおける取引執行時間が終了すると、前記注文レコード格納手段において、売買委託注文の約定状況から未約定残数量があることが特定され、かつ注文期限が到来しておらず、かつ前記第２の取引執行システムが指定された注文レコードを特定し、前記注文レコードに指定された第２の取引執行システムに前記未約定数量を発注する第２の売買注文について、前記第２の売買注文の発注内容を少なくとも記憶した前記第２の売買注文にかかる第２の発注レコードを作成して、前記発注レコード格納手段に格納する第２の発注レコード作成手段と、前記第２の取引執行システムへの発注時間として指定された時間に到達すると、前記第２発注レコードに指定された発注内容に基づいて、前記第２の取引執行システムに前記第２の売買注文の執行依頼を送信する第２の発注手段と、を備えることを特徴とする売買注文発注システムである。
【００１４】
第１の発明及び第２の発明は、前記売買委託注文は株式の信用取引における売り注文であって、注文者の操作する端末に、前記売り注文を発注する市場を選択する選択欄を含む売り注文の注文条件の入力画面を表示させる表示ファイルを送信する入力画面送信手段と、前記入力画面の前記選択欄において選択された市場に関する情報を受信して、前記市場に関する情報に指定された市場を識別し、前記市場に対応する取引執行システムを特定する発注市場識別手段と、を備えていて、前記注文レコード作成手段は、前記発注市場識別手段が２つの取引執行システムを特定した場合に、１の取引執行システムを前記第１の取引執行システムとして、他の１の取引執行システムを前記第２の取引執行システムとして記憶した注文レコードを作成することを特徴としてもよい。
【００１５】
本願にかかる課題を解決する第３の発明は、注文者から受け付けた一の売買委託注文に基づいて、売買取引を執行する複数の取引執行システムへ、売買注文を連続して発注する売買注文発注システムであって、前記売買委託注文に関する情報を、売買委託注文毎に設けられた注文レコードに格納した注文レコード格納手段と、前記売買注文に関する情報を、売買注文毎に設けられた発注レコードに、売買注文の基となる売買委託注文にかかる注文レコードと関連付けて格納した発注レコード格納手段と、第１の取引執行システムにおいて売買注文が約定しない場合に第２の取引執行システムへ売買注文を発注することを条件として指定した売買委託注文を受け付けると、前記売買委託注文に指定された前記第１の取引執行システム、注文数量、売買委託注文の約定状況、注文期限を少なくとも記憶した前記売買委託注文にかかる注文レコードを作成して、前記注文レコード格納手段に格納する注文レコード作成手段と、前記売買委託注文に基づいて前記第１の取引執行システムに前記注文数量を発注する第１の売買注文について、前記第１の売買注文の発注内容を少なくとも記憶した前記第１の売買注文にかかる第１の発注レコードを作成し、前記注文レコードと関連付けて、前記発注レコード格納手段に格納する第１の発注レコード作成手段と、前記第１発注レコードに指定された発注内容に基づいて、前記第１の取引執行システムに前記第１の売買注文の執行依頼を送信する第１の発注手段と、前記第１の取引執行システムから、前記第１の売買注文の少なくとも一部が約定したことを示す約定情報を受信すると、前記第１の売買注文と関連付けられた注文レコードの売買委託注文の約定状況を、前記約定情報を反映して更新する約定状況更新手段と、前記第１の取引執行システムにおける取引執行時間が終了すると、前記注文レコード格納手段において、売買委託注文の約定状況から未約定残数量があることが特定され、かつ注文期限が到来しておらず、かつ前記第２の取引執行システムが指定された注文レコードを特定し、予め指定された第２の取引執行システムに、前記注文レコードに指定された前記未約定数量を発注する第２の売買注文について、前記第２の売買注文の発注内容を少なくとも記憶した前記第２の売買注文にかかる第２の発注レコードを作成して、前記発注レコード格納手段に格納する第２の発注レコード作成手段と、前記第２の取引執行システムへの発注時間として指定された時間に到達すると、前記第２発注レコードに指定された発注内容に基づいて、前記第２の取引執行システムに前記第２の売買注文の執行依頼を送信する第２の発注手段と、を備えることを特徴とする売買注文発注システムである。
【００１６】
本願にかかる課題を解決する第４の発明は、注文者から受け付けた一の売買委託注文に基づいて、売買取引を執行する複数の取引執行システムへ、売買注文を連続して発注する売買注文発注システムであって、前記売買委託注文に関する情報を、売買委託注文毎に設けられた注文レコードに格納した注文レコード格納手段と、前記売買注文に関する情報を、売買注文毎に設けられた発注レコードに、売買注文の基となる売買委託注文にかかる注文レコードと関連付けて格納した発注レコード格納手段と、第１の取引執行システムにおいて売買注文が約定しない場合に第２の取引執行システムへ売買注文を発注することを条件として指定した売買委託注文を受け付けると、前記売買委託注文に指定された前記第１の取引執行システム、注文数量、売買委託注文の約定状況、注文期限を少なくとも記憶した前記売買委託注文にかかる注文レコードを作成して、前記注文レコード格納手段に格納する注文レコード作成手段と、前記売買委託注文に基づいて前記第１の取引執行システムに前記注文数量を発注する第１の売買注文について、前記第１の売買注文の発注内容、売買注文の約定状況を少なくとも記憶した前記第１の売買注文にかかる第１の発注レコードを作成し、前記注文レコードと関連付けて、前記発注レコード格納手段に格納する第１の発注レコード作成手段と、前記第１発注レコードに指定された発注内容に基づいて、前記第１の取引執行システムに前記第１の売買注文の執行依頼を送信する第１の発注手段と、前記第１の取引執行システムから、前記第１の売買注文の少なくとも一部が約定したことを示す約定情報を受信すると、前記第１の発注レコードの売買注文の約定状況を、前記約定情報を反映して更新する第１の約定状況更新手段と、前記第１の発注レコードの売買注文の約定状況が更新されると、前記第１の発注レコードと関連付けられた注文レコードの売買委託注文の約定状況を、前記第１の発注レコードの売買注文の約定状況を反映して更新する第２の約定状況更新手段と、前記第１の取引執行システムにおける取引執行時間が終了すると、前記注文レコード格納手段において、売買委託注文の約定状況から未約定残数量があることが特定され、かつ注文期限が到来しておらず、かつ前記第２の取引執行システムが指定された注文レコードを特定し、予め指定された第２の取引執行システムに、前記注文レコードに指定された前記未約定数量を発注する第２の売買注文について、前記第２の売買注文の発注内容を少なくとも記憶した前記第２の売買注文にかかる第２の発注レコードを作成して、前記発注レコード格納手段に格納する第２の発注レコード作成手段と、前記第２の取引執行システムへの発注時間として指定された時間に到達すると、前記第２発注レコードに指定された発注内容に基づいて、前記第２の取引執行システムに前記第２の売買注文の執行依頼を送信する第２の発注手段と、を備えることを特徴とする売買注文発注システムである。
【００１７】
第３の発明及び第４の発明は、前記売買委託注文は株式の信用取引における売り注文であって、注文者の操作する端末に、前記売り注文を発注する市場を選択する選択欄を含む売り注文の注文条件の入力画面を表示させる表示ファイルを送信する入力画面送信手段と、前記入力画面の前記選択欄において選択された市場に関する情報を受信して、前記市場に関する情報に指定された市場を識別し、前記市場に対応する取引執行システムを特定する発注市場識別手段と、を備えていて、前記注文レコード作成手段は、前記発注市場識別手段が前記第２の取引執行システムを含む２つの取引執行システムを特定した場合に、前記第２の取引システムの他の取引執行システムを前記第１の取引執行システムとして記憶した注文レコードを作成することを特徴としてもよい。
【００１８】
本発明は、注文者から受け付けた売買委託注文に関する情報を注文レコードに、取引所やＰＴＳなどの取引執行システムに発注する売買注文に関する情報を発注レコードにそれぞれ格納し、１の注文レコードに対して、２以上の異なる取引執行システムに発注した発注レコードを関連付けるよう構成することによって、複数の取引執行システムへ売買注文を連続して発注することを可能にしている。注文レコードには、売買委託注文の注文数量に対する約定状況、第１の取引執行システムにおいて売買注文が約定しない場合に第２の取引執行システムへ売買注文を発注する条件指定の有無を記憶することによって、注文レコードから連続発注の要否を判断する。
【００１９】
第１の発明と第３の発明では、第１の取引執行システムから第１の売買注文の少なくとも一部が約定したことを示す約定情報を受信すると、該約定を反映して直ちに注文レコードの約定状況を更新する。第１の発明において、第２の売買注文を発注する第２の取引執行システムが、売買委託注文毎に指定されて注文レコードに記憶されているが、第３の発明では、第２の売買注文を発注する第２の取引執行システムは予め指定された１の取引執行システムに限定されている。
【００２０】
第２の発明と第４の発明では、第１の取引執行システムから第１の売買注文の少なくとも一部が約定したことを示す約定情報を受信すると、該約定を反映して発注レコードの約定状況を更新し、対応する発注レコードの約定状況の更新をトリガとして、注文レコードの約定状況を更新する。第２の発明において、第２の売買注文を発注する第２の取引執行システムが、売買委託注文毎に指定されて注文レコードに記憶されているが、第４の発明では、第２の売買注文を発注する第２の取引執行システムは予め指定された１の取引執行システムに限定されている。
【００２１】
また、第１の発明乃至第４の発明では、株式の信用取引における売り注文（返済注文）である場合に、注文者の操作する端末に売り注文を発注する市場を選択する選択欄を表示させ、注文者が選択した市場から第１及び第２の取引執行システムを特定するよう構成することによって、信用取引の返済注文を、新規建玉（買い注文）を発注した市場以外の市場に引き継ぐことを可能にすることもできる。
【００２２】
第１の発明乃至第４の発明は、第１の発明乃至第４の発明にかかる売買注文発注システムにより実行される売買注文発注方法として特定することもできる。
【００２３】
第１の発明に対応する売買注文発注方法は、注文者から受け付けた一の売買委託注文に基づいて、売買取引を執行する複数の取引執行システムへ、売買注文を連続して発注し、前記売買委託注文に関する情報を、売買委託注文毎に設けられた注文レコードに格納した注文レコード格納部と、前記売買注文に関する情報を、売買注文毎に設けられた発注レコードに、売買注文の基となる売買委託注文にかかる注文レコードと関連付けて格納した発注レコード格納部と、を備える売買注文発注システムにより実行される売買注文発注方法であって、前記売買注文発注システムが、第１の取引執行システムにおいて売買注文が約定しない場合に第２の取引執行システムへ売買注文を発注することを条件として指定した売買委託注文を受け付けると、前記売買委託注文に指定された前記第１の取引執行システム、前記第２の取引執行システム、注文数量、売買委託注文の約定状況、注文期限を少なくとも記憶した前記売買委託注文にかかる注文レコードを作成して、前記注文レコード格納部に格納するステップと、前記売買注文発注システムが、前記売買委託注文に基づいて前記第１の取引執行システムに前記注文数量を発注する第１の売買注文について、前記第１の売買注文の発注内容を少なくとも記憶した前記第１の売買注文にかかる第１の発注レコードを作成し、前記注文レコードと関連付けて、前記発注レコード格納部に格納するステップと、前記売買注文発注システムが、前記第１発注レコードに指定された発注内容に基づいて、前記第１の取引執行システムに前記第１の売買注文の執行依頼を送信するステップと、前記売買注文発注システムが、前記第１の取引執行システムから、前記第１の売買注文の少なくとも一部が約定したことを示す約定情報を受信すると、前記第１の売買注文と関連付けられた注文レコードの売買委託注文の約定状況を、前記約定情報を反映して更新するステップと、前記売買注文発注システムが、前記第１の取引執行システムにおける取引執行時間が終了すると、前記注文レコード格納部において、売買委託注文の約定状況から未約定残数量があることが特定され、かつ注文期限が到来しておらず、かつ前記第２の取引執行システムが指定された注文レコードを特定し、前記注文レコードに指定された第２の取引執行システムに前記未約定数量を発注する第２の売買注文について、前記第２の売買注文の発注内容を少なくとも記憶した前記第２の売買注文にかかる第２の発注レコードを作成して、前記発注レコード格納部に格納するステップと、前記売買注文発注システムが、前記第２の取引執行システムへの発注時間として指定された時間に到達すると、前記第２発注レコードに指定された発注内容に基づいて、前記第２の取引執行システムに前記第２の売買注文の執行依頼を送信するステップと、を有することを特徴とする売買注文発注方法である。
【００２４】
第２の発明に対応する売買注文発注方法は、注文者から受け付けた一の売買委託注文に基づいて、売買取引を執行する複数の取引執行システムへ、売買注文を連続して発注し、前記売買委託注文に関する情報を、売買委託注文毎に設けられた注文レコードに格納した注文レコード格納部と、前記売買注文に関する情報を、売買注文毎に設けられた発注レコードに、売買注文の基となる売買委託注文にかかる注文レコードと関連付けて格納した発注レコード格納部と、を備える売買注文発注システムにより実行される売買注文発注方法であって、前記売買注文発注システムが、第１の取引執行システムにおいて売買注文が約定しない場合に第２の取引執行システムへ売買注文を発注することを条件として指定した売買委託注文を受け付けると、前記売買委託注文に指定された前記第１の取引執行システム、前記第２の取引執行システム、注文数量、売買委託注文の約定状況、注文期限を少なくとも記憶した前記売買委託注文にかかる注文レコードを作成して、前記注文レコード格納部に格納するステップと、前記売買注文発注システムが、前記売買委託注文に基づいて前記第１の取引執行システムに前記注文数量を発注する第１の売買注文について、前記第１の売買注文の発注内容、売買注文の約定状況を少なくとも記憶した前記第１の売買注文にかかる第１の発注レコードを作成し、前記注文レコードと関連付けて、前記発注レコード格納部に格納するステップと、前記売買注文発注システムが、前記第１発注レコードに指定された発注内容に基づいて、前記第１の取引執行システムに前記第１の売買注文の執行依頼を送信するステップと、前記売買注文発注システムが、前記第１の取引執行システムから、前記第１の売買注文の少なくとも一部が約定したことを示す約定情報を受信すると、前記第１の発注レコードの売買注文の約定状況を、前記約定情報を反映して更新するステップと、前記売買注文発注システムが、前記第１の発注レコードの売買注文の約定状況が更新されると、前記第１の発注レコードと関連付けられた注文レコードの売買委託注文の約定状況を、前記第１の発注レコードの売買注文の約定状況を反映して更新するステップと、前記売買注文発注システムが、前記第１の取引執行システムにおける取引執行時間が終了すると、前記注文レコード格納部において、売買委託注文の約定状況から未約定残数量があることが特定され、かつ注文期限が到来しておらず、かつ前記第２の取引執行システムが指定された注文レコードを特定し、前記注文レコードに指定された第２の取引執行システムに前記未約定数量を発注する第２の売買注文について、前記第２の売買注文の発注内容を少なくとも記憶した前記第２の売買注文にかかる第２の発注レコードを作成して、前記発注レコード格納部に格納するステップと、前記売買注文発注システムが、前記第２の取引執行システムへの発注時間として指定された時間に到達すると、前記第２発注レコードに指定された発注内容に基づいて、前記第２の取引執行システムに前記第２の売買注文の執行依頼を送信するステップと、を有することを特徴とする売買注文発注方法である。
【００２５】
第１の発明及び第２の発明に対応する売買注文発注方法は、前記売買委託注文は株式の信用取引における売り注文であって、前記売買注文発注システムが、注文者の操作する端末に、前記売り注文を発注する市場を選択する選択欄を含む売り注文の注文条件の入力画面を表示させる表示ファイルを送信するステップと、前記売買注文発注システムが、前記入力画面の前記選択欄において選択された市場に関する情報を受信して、前記市場に関する情報に指定された市場を識別し、前記市場に対応する取引執行システムを特定するステップと、を有していて、前記注文レコードを作成して前記注文レコード格納部に格納するステップでは、前記取引執行システムを特定するステップで２つの取引執行システムを特定した場合に、１の取引執行システムを前記第１の取引執行システムとして、他の１の取引執行システムを前記第２の取引執行システムとして記憶した注文レコードを作成することを特徴としてもよい。
【００２６】
第３の発明に対応する売買注文発注方法は、注文者から受け付けた一の売買委託注文に基づいて、売買取引を執行する複数の取引執行システムへ、売買注文を連続して発注し、前記売買委託注文に関する情報を、売買委託注文毎に設けられた注文レコードに格納した注文レコード格納部と、前記売買注文に関する情報を、売買注文毎に設けられた発注レコードに、売買注文の基となる売買委託注文にかかる注文レコードと関連付けて格納した発注レコード格納部と、を備える売買注文発注システムにより実行される売買注文発注方法であって、前記売買注文発注システムが、第１の取引執行システムにおいて売買注文が約定しない場合に第２の取引執行システムへ売買注文を発注することを条件として指定した売買委託注文を受け付けると、前記売買委託注文に指定された前記第１の取引執行システム、注文数量、売買委託注文の約定状況、注文期限を少なくとも記憶した前記売買委託注文にかかる注文レコードを作成して、前記注文レコード格納部に格納するステップと、前記売買注文発注システムが、前記売買委託注文に基づいて前記第１の取引執行システムに前記注文数量を発注する第１の売買注文について、前記第１の売買注文の発注内容を少なくとも記憶した前記第１の売買注文にかかる第１の発注レコードを作成し、前記注文レコードと関連付けて、前記発注レコード格納部に格納するステップと、前記売買注文発注システムが、前記第１発注レコードに指定された発注内容に基づいて、前記第１の取引執行システムに前記第１の売買注文の執行依頼を送信するステップと、前記売買注文発注システムが、前記第１の取引執行システムから、前記第１の売買注文の少なくとも一部が約定したことを示す約定情報を受信すると、前記第１の売買注文と関連付けられた注文レコードの売買委託注文の約定状況を、前記約定情報を反映して更新するステップと、前記売買注文発注システムが、前記第１の取引執行システムにおける取引執行時間が終了すると、前記注文レコード格納部において、売買委託注文の約定状況から未約定残数量があることが特定され、かつ注文期限が到来しておらず、かつ前記第２の取引執行システムが指定された注文レコードを特定し、予め指定された第２の取引執行システムに、前記注文レコードに指定された前記未約定数量を発注する第２の売買注文について、前記第２の売買注文の発注内容を少なくとも記憶した前記第２の売買注文にかかる第２の発注レコードを作成して、前記発注レコード格納部に格納するステップと、前記売買注文発注システムが、前記第２の取引執行システムへの発注時間として指定された時間に到達すると、前記第２発注レコードに指定された発注内容に基づいて、前記第２の取引執行システムに前記第２の売買注文の執行依頼を送信するステップと、を有することを特徴とする売買注文発注方法である。
【００２７】
第４の発明に対応する売買注文発注方法は、注文者から受け付けた一の売買委託注文に基づいて、売買取引を執行する複数の取引執行システムへ、売買注文を連続して発注し、前記売買委託注文に関する情報を、売買委託注文毎に設けられた注文レコードに格納した注文レコード格納部と、前記売買注文に関する情報を、売買注文毎に設けられた発注レコードに、売買注文の基となる売買委託注文にかかる注文レコードと関連付けて格納した発注レコード格納部と、を備える売買注文発注システムにより実行される売買注文発注方法であって、前記売買注文発注システムが、第１の取引執行システムにおいて売買注文が約定しない場合に第２の取引執行システムへ売買注文を発注することを条件として指定した売買委託注文を受け付けると、前記売買委託注文に指定された前記第１の取引執行システム、注文数量、売買委託注文の約定状況、注文期限を少なくとも記憶した前記売買委託注文にかかる注文レコードを作成して、前記注文レコード格納部に格納するステップと、前記売買注文発注システムが、前記売買委託注文に基づいて前記第１の取引執行システムに前記注文数量を発注する第１の売買注文について、前記第１の売買注文の発注内容、売買注文の約定状況を少なくとも記憶した前記第１の売買注文にかかる第１の発注レコードを作成し、前記注文レコードと関連付けて、前記発注レコード格納部に格納するステップと、前記売買注文発注システムが、前記第１発注レコードに指定された発注内容に基づいて、前記第１の取引執行システムに前記第１の売買注文の執行依頼を送信するステップと、前記売買注文発注システムが、前記第１の取引執行システムから、前記第１の売買注文の少なくとも一部が約定したことを示す約定情報を受信すると、前記第１の発注レコードの売買注文の約定状況を、前記約定情報を反映して更新するステップと、前記売買注文発注システムが、前記第１の発注レコードの売買注文の約定状況が更新されると、前記第１の発注レコードと関連付けられた注文レコードの売買委託注文の約定状況を、前記第１の発注レコードの売買注文の約定状況を反映して更新するステップと、前記売買注文発注システムが、前記第１の取引執行システムにおける取引執行時間が終了すると、前記注文レコード格納部において、売買委託注文の約定状況から未約定残数量があることが特定され、かつ注文期限が到来しておらず、かつ前記第２の取引執行システムが指定された注文レコードを特定し、予め指定された第２の取引執行システムに、前記注文レコードに指定された前記未約定数量を発注する第２の売買注文について、前記第２の売買注文の発注内容を少なくとも記憶した前記第２の売買注文にかかる第２の発注レコードを作成して、前記発注レコード格納部に格納するステップと、前記売買注文発注システムが、前記第２の取引執行システムへの発注時間として指定された時間に到達すると、前記第２発注レコードに指定された発注内容に基づいて、前記第２の取引執行システムに前記第２の売買注文の執行依頼を送信するステップと、を有することを特徴とする売買注文発注方法である。
【００２８】
第３の発明及び第４の発明に対応する売買注文発注方法は、前記売買委託注文は株式の信用取引における売り注文であって、前記売買注文発注システムが、注文者の操作する端末に、前記売り注文を発注する市場を選択する選択欄を含む売り注文の注文条件の入力画面を表示させる表示ファイルを送信するステップと、前記売買注文発注システムが、前記入力画面の前記選択欄において選択された市場に関する情報を受信して、前記市場に関する情報に指定された市場を識別し、前記市場に対応する取引執行システムを特定するステップと、を有していて、前記注文レコードを作成して前記注文レコード格納部に格納するステップでは、前記取引執行システムを特定するステップで前記第２の取引執行システムを含む２つの取引執行システムを特定した場合に、前記第２の取引システムの他の取引執行システムを前記第１の取引執行システムとして記憶した注文レコードを作成することを特徴としてもよい。
【発明の効果】
【００２９】
本発明によって、株式等の売買注文を対象に、注文者から受け付けた一の売買委託注文に基づいて、売買取引を執行する取引所システムや私設取引システムなどの複数の取引執行システムへ、売買注文を連続して発注することが可能になるので、例えば取引所の立会時間中に未約定となった注文をＰＴＳに発注することによって、注文が約定する可能性を高めて、株式等に投資する投資家により多くの投資機会を提供することが可能になる。本発明は、株式の信用取引の売り注文（返済注文）に適用すると、さらに好適である。
【発明を実施するための最良の形態】
【００３０】
本発明を実施するための最良の形態について、図面を用いて以下に詳細に説明する。尚、以下の説明では、株式を取引の対象とする例について説明するが、該説明は本発明の実施形態の一例であって、取引の対象となるものは株式に限定されるものではなく、本発明はかかる実施形態に限定されるものではない。
【００３１】
図１は、本発明にかかる売買注文発注システムの構成を示すブロック図である。図２は、本発明にかかる売買注文発注システムにおける預り資産データベースの第１の例（現物株式）を示す図である。図３、図４は、本発明にかかる売買注文発注システムによって、顧客端末に表示される現物株式の注文入力画面の、それぞれ第１、第２の例を示す図である。図５は、本発明にかかる売買注文発注システムにおける預り資産データベースの第２の例（信用建玉）を示す図である。図６は、本発明にかかる売買注文発注システムによって、顧客端末に表示される信用取引の注文入力画面の一例を示す図である。図７は、本発明にかかる売買注文発注システムによって、顧客端末で選択された市場と注文レコードに記録する市場の関連付けの一例を示す図である。図８〜図１０は、本発明にかかる売買注文発注システムによる売買注文の連続発注の第１の例における、注文レコードと発注レコードの遷移を示す、それぞれ第１〜第３の図である。図１１、図１２は、本発明にかかる売買注文発注システムによる売買注文の連続発注の第２の例における、注文レコードと発注レコードの遷移を示す、それぞれ第１、第２の図である。図１３は、本発明にかかる売買注文発注システムの注文レコード格納部の一例を示す図である。図１４は、本発明にかかる売買注文発注システムによる売買注文の連続発注のための、発注レコードの作成フローを示すフローチャートである。
【００３２】
図１において、本発明にかかる売買注文発注システムは、証券会社システム２０の一部であり、注文処理部２１、注文データ更新部２２、注文データベース２３、預り資産データベース２４、銘柄情報データベース２５を含んで構成されている。証券会社に株式売買の注文を委託する顧客は、パーソナルコンピュータや携帯電話等の顧客端末１０からインターネット、Ｗｅｂサーバ２６を介して証券会社システム２０にアクセスする。証券会社システム２０では、顧客から受け付けた売買委託注文に従って、取引所システム３０等に売買注文を発注する。
【００３３】
ここで証券会社システム２０は、証券取引所が運営する取引所システム３０、取引所システム４０等の取引執行システムの他に、私設取引システムであるＰＴＳ５０にも発注指示を送信できるように、専用線等のネットワークを通じて接続されている。本発明においては、例えば、取引所システム３０に発注した売買注文が立会時間中に約定しなかった場合、未約定となった残数量分の売買注文をＰＴＳ５０に連続発注することを特徴としている。従って、証券会社システム２０と接続されている取引所システム、ＰＴＳの数は特に限定されているものではないが、両者を合わせて少なくとも２以上の取引執行システムと接続されていることが必要である。
【００３４】
Ｗｅｂサーバ２６は、顧客端末１０に取引のための注文入力画面や情報提供等のためのＷｅｂページを表示させるとともに、顧客端末１０から送信された注文依頼に関する情報を受け付けると、注文処理を実行する勘定系の機能を備えた証券会社システム２０に受け付けた情報を引き渡す機能を備えている。証券会社システム２０は、Ｗｅｂサーバ２６が受け付けた情報に従って、取引所システム３０等に売買注文の発注に必要なデータを送信する。
【００３５】
証券会社システム２０に備えられる注文処理部２１、注文データ更新部２２は、いずれも機能的に特定されるものであって、各々の機能を実現するためには、各々の機能に対応するアプリケーションプログラムが証券会社システム２０のＲＡＭに読み出されて、ＣＰＵで演算処理が実行される。
【００３６】
注文データベース２３には、注文レコード格納部２３１と発注レコード格納部２３２が少なくとも備えられている。注文レコード格納部２３１には、顧客から受け付けた売買委託注文毎に設けられた注文レコードが格納され、各々の注文レコードには、売買委託注文に指定された執行条件、注文数量、注文期限等の情報が記憶されている。発注レコード格納部２３２には、取引所システム３０等の取引執行システムに発注された売買注文毎に設けられた発注レコードが、売買注文の基礎となる売買委託注文の注文レコードと関連付けて格納され、各々の発注レコードには、取引所システム３０等への発注数量等の情報が記憶されている。
【００３７】
預り資産データベース２４には、顧客から受け付けた売買注文が約定して、証券会社の預り資産となっている資産に関する情報が格納されている。例えば、図２は現物株式の、図５は信用建玉の残高をそれぞれ記録するテーブルの例であるが、顧客毎、預り資産の種別毎に設けられたテーブルには、各々の預り資産に関する情報が格納されている。
【００３８】
銘柄情報データベース２５には、証券会社システム２０において取引が可能な銘柄に関する情報が格納されている。その中には、各々の銘柄が上場している市場に関する情報が含まれているため、顧客がある銘柄を指定して注文画面を呼び出すと、銘柄情報データベース２５の対応するレコードを参照して該銘柄の取引が可能な市場が特定され、注文画面中における発注する市場の選択欄に、選択可能な市場としてプルダウンメニュー等の形式で埋め込まれる。
【００３９】
注文処理部２１は、Ｗｅｂサーバ２６を介して顧客端末１０から受け付けた売買委託注文に指定された注文内容に従って、取引所システム３０等に売買注文の発注処理を行う機能を備えている。売買委託注文に指定された執行条件等の注文内容に関する情報は、新たに作成した注文レコードに記憶され、注文レコード格納部２３１に格納される。取引所システム３０等に発注した売買注文に関する情報は、新たに作成した発注レコードに記憶され、発注レコード格納部２３２に格納される。
【００４０】
注文データ更新部２２は、取引所システム３０等に発注した売買注文について、取引所システム３０等から送信される約定情報を受信すると、受信した約定情報に従って、注文レコード格納部２３１に格納された注文レコードや、発注レコード格納部２３２に格納された発注レコードの約定状況に関する情報を更新する機能を備えている。
【００４１】
証券会社に株式売買の注文を委託する顧客が顧客端末１０からＷｅｂサーバ２６にアクセスして、売買取引に関するメニューを選択すると、顧客端末１０には、例えば、図３に示したような注文入力画面が表示される。昼間の時間帯は主要市場に売買注文を発注し、注文数量に対して未約定の残数量が生じた場合には夜間取引が可能なＰＴＳに注文を引き継ぎたい場合には、図３のような注文入力画面において、顧客は「夜間取引への引継ぎ」について「する」を選択する。夜間取引が可能なＰＴＳが１に限れる場合であれば、発注するＰＴＳを選択する必要はないが、夜間取引が可能なＰＴＳが２以上存在する場合には、発注するＰＴＳをプルダウンメニュー等から選択させることとしてもよい。
【００４２】
上記のように、顧客端末１０の注文入力画面において、執行条件や注文期限等の注文内容の入力や夜間取引への引継ぎの要否、発注するＰＴＳの選択が行われると、これらの内容をまとめて表示する画面等によって顧客の意思を再確認し、確認された執行条件や注文期限等の注文内容と夜間取引への引継ぎの指定の有無、発注するＰＴＳに関する情報が、売買委託注文としてＷｅｂサーバ２６を介して証券会社システム２０に送信される。これらの情報を受信した証券会社システム２０では、指定された銘柄や執行条件等から証券取引所等への売買注文の発注が可能であるか否かを確認した上で、受け付けた売買委託注文についての新たな注文レコードを作成して、注文レコード格納部２３１に格納する。
【００４３】
あるいは、図４の例に示したように、はじめに売買したい銘柄の指定を受け付け、指定された銘柄について取引可能な市場に関する情報を銘柄データベース２５から取得して、指定が可能な市場の組合せをプルダウンメニューの中に全て表示することとしてもよい。この例では、ＰＴＳを含む２つの市場を含むメニューが選択された場合には、指定された市場の間で注文の引継ぎが行われることになり、１つの市場のみのメニューが選択された場合には、市場間の注文の引継ぎは行われないことになる。
【００４４】
図４のように、顧客端末１０の注文入力画面において、執行条件や注文期限等の注文内容の入力や発注する市場の選択が行われると、図３の画面の場合と同様にこれらの内容をまとめて表示する画面等によって顧客の意思を再確認し、確認された執行条件や注文期限等の注文内容と発注する市場に関する情報が、売買委託注文としてＷｅｂサーバ２６を介して証券会社システム２０に送信される。これらの情報を受信した証券会社システム２０では、指定された銘柄や執行条件等から証券取引所等への売買注文の発注が可能であるか否かを確認した上で、受け付けた売買委託注文についての新たな注文レコードを作成して注文レコード格納部２３１に格納することは、図３の場合と同様である。
【００４５】
図３、図４は、いずれも売買を発注する市場を売買が可能な市場から自由に選択することができる現物株式等の例を示したものであるが、信用取引を対象とする場合は、一般に建玉の返済注文（売り注文）を発注する場合には、新規建玉（買い注文）を発注した市場にしか発注できないように制限されていることが通常である。そのため、預り資産データベース２４の信用建玉のテーブルには、図５の例に示したように、各々の建玉について新規建玉を発注した市場が記録されている。そして、いずれかの建玉を選択して返済注文を行おうとすると、顧客端末１０には図６の例に示したような返済注文の条件入力画面が表示される。
【００４６】
図６の上側に示した例は、現在の一般的な返済注文の条件入力画面で、返済注文を発注する市場には、預り資産データベース２４から読み出した新規建玉を発注した市場が自動的に設定されている。これに対して、本発明においては、図６の下側に示した例のように、預り資産データベース２４に記録されている新規建玉を発注した市場に関わらず、返済注文に指定された銘柄について取引が可能な市場を銘柄データベース２５の対応するレコードを参照して特定し、図４の例と同様に注文画面の中に取引する市場の選択欄に選択可能な市場として埋め込まれることになる。
【００４７】
図４や図６の例のように、指定が可能な市場の組合せをプルダウンメニューの中に表示する場合には、選択されたメニューと発注する市場（昼間の通常取引を発注する市場が「市場１」、夜間取引を発注する市場が「市場２」）の組合せが、証券会社システム２０において図７の例のように関連付けて記憶されている。かかる関連付けは、例えば、注文処理部２１を動作させるプログラムの一部として記述しておけばよい。これによって選択されたメニューから発注する市場を特定し、注文データベース２３の注文レコード格納部２３１に格納される注文レコードに、発注する市場（「市場１」と「市場２」）を書き込むことが可能になる。
【００４８】
注文レコード格納部２３１に格納される注文レコードと、売買注文毎に作成されて発注レコード格納部２３２に格納される発注レコードの関係について、図８〜図１０に示した売買注文の連続発注の第１の例、図１１〜図１２に示した売買注文の連続発注の第２の例を用いて説明する。
【００４９】
図８の上段は、新たに受け付けた売買委託注文について作成され、注文レコード格納部２３１に格納される注文レコードの一例を示している。注文レコードは売買委託注文毎に作成されるが、売買委託注文を識別するために採番された注文コード、初めに売買注文を発注する証券取引所（市場１）、夜間取引に引き継ぐ場合に発注されるＰＴＳ（市場２）、売買する銘柄の証券コード、指値か成行か、売りか買いか等の執行条件、注文数量である株数、約定状況を示す注文残数量、夜間取引への引継ぎの指定の有無、注文期限、受付時刻等が記憶されている。
【００５０】
尚、市場１に指定される証券取引所の指定方法は特に限定されるものではないが、図４や図６のような注文入力画面から注文が行われた場合は、プルダウンメニューで選択されたメニューにより、図７の関連付けによって特定された市場が指定されることになる。一方、図３のような注文入力画面が用いられる場合には、顧客が注文入力画面において指定することとしてもよいし、売買する銘柄の主要取引市場を自動的に指定することとしてもよい。
【００５１】
また、市場２に指定されるＰＴＳも同様に、図４や図６のような注文入力画面から注文が行われた場合は、プルダウンメニューで選択されたメニューにより、図７の関連付けによって特定された市場が指定される。一方、図３のような注文入力画面が用いられる場合には、顧客が注文入力画面において２以上のＰＴＳから指定して選択した場合に記録されることになるが、発注できるＰＴＳが１に限られている場合には、市場２のフィールドには予め該ＰＴＳを指定しておくか、あるいは夜間取引への引継ぎ時には自動的に発注レコードに指定する市場を所定のＰＴＳを指定するように、注文処理部２１のプログラムで設定しておくこととしてもよい。尚、図４や図６のような注文入力画面から注文が行われる場合においても、発注できるＰＴＳが１に限られている場合には、同様に市場２のフィールドには予め該ＰＴＳを指定しておくか、あるいは注文処理部２１のプログラムの設定で夜間取引への引継ぎ時に自動的に発注レコードに指定する市場を指定することとしてもよい。
【００５２】
図８の下段は、売買委託注文に指定された内容に従って売買注文を取引所システム３０等の取引執行システムに発注するために作成され、発注レコード格納部２３２に格納される発注レコードの一例を示している。発注レコードは証券取引所等への売買注文毎に作成されるが、注文コードによって発注の基礎となる売買委託注文の注文レコードと関連付けられ、発注した市場、売買する銘柄の証券コード、指値か成行か、売りか買いか等の執行条件、注文数量である株数、約定状況を示す約定数量、約定価格、発注時刻と約定時刻等が記憶されている。
【００５３】
図８は、売買委託注文を受け付けて注文レコードを作成し、最初に主要市場に発注する発注レコードを作成して、市場１に指定された取引執行システムに発注した状態の例を示している。この時点で、１の注文レコードには１の発注レコードが関連付けられていて、発注レコードの約定数量は０株、注文レコードの注文残数量は注文数量と同じ２株となっている。尚、この例では発注レコードには約定数量、注文レコードには注文残数量を記憶させて注文の約定状況を把握できることとしているが、それぞれのレコードにおいて約定数量、注文残数量のいずれの数量によって約定状況を把握するかについては、特に限定されるものではない。
【００５４】
図９は、図８で発注した売買注文が、立会時間中に約定せずに、不出来であった状態の例を示している。発注レコードの約定数量は０株のままで約定状況に変動はなく、注文レコードの注文残数量も２株のままで、約定状況は不出来であることを示している。
【００５５】
ここで、主要な証券取引所における立会時間が終了する時間（例えば、１５時１０分）を経過すると、注文処理部２１が起動されて、注文レコード格納部２３１に格納された注文期限内にある全ての注文レコードについて、夜間取引への引継ぎの要否についての確認が行なわれる。注文レコードにおいて、注文期限の期限内にあって、注文残数量が存在していて（０株となっていなくて）、夜間取引への引継ぎの指定が有となっている注文レコードについては、夜間取引への引継ぎが必要であると判断されて、夜間取引を行うＰＴＳに売買注文を発注するための新たな発注レコードを作成する。尚、夜間取引への引継ぎの要否を注文レコードに記憶させておくことは必須の要件ではなく、市場２にＰＴＳが指定されているかによって夜間取引への引継ぎの要否を判断することとしてもよい。
【００５６】
図９の例では、当日が２００６年５月１０日以前であれば注文期限の期限内にあり（注文期限が当日までである場合に、夜間取引を期限内と扱うか否かは、いずれに設定してもよい）、２株の注文残数量が存在していて、夜間取引への引継ぎの指定が有となっているので、夜間取引への引継ぎが必要であると判断される。尚、夜間取引への引継ぎの要否の判断を、市場２にＰＴＳの指定があることから判断してもよいことは、先に説明したとおりである。
【００５７】
その結果、図１０に示したように、注文レコードの市場２に指定されたＰＴＳ１に、注文残数量の２株を発注するための発注レコードを作成し、注文コードによって注文レコードと関連付けて、発注レコード格納部２３２に格納する。このように、本発明では、１の注文レコードに対して、２以上の発注レコードを関連付けることが可能なように構成されていて、１の売買委託注文から証券取引所等への連続注文を可能にしている。
【００５８】
注文レコード格納部２３１に格納された全ての注文レコードの確認が行なわれ、夜間取引への引継ぎが必要なものについて新たな発注レコードを作成すると、ＰＴＳ１での取引が開始される時間（図１０の例では１６時）以前の所定の時間まで、ＰＴＳ１に発注する売買注文は待機状態となる。所定の時間に達すると、発注レコードに指定された条件に従って、ＰＴＳ１において取引を執行するＰＴＳ５０に、証券会社システム２０から発注する売買注文に関するデータが送信され、発注レコードには発注時刻が記録される。
【００５９】
図１１〜図１２は、図８〜図１０と同様の売買委託注文について、注文数量の一部のみが約定した例を示している。図１１に示したように、２株の売買注文のうち１株のみが約定したことを示す約定情報を、売買注文を発注した取引所システム３０等から受信すると、注文データ更新部２２が起動され、発注レコードの約定数量が０株から１株に更新される。さらに、取引所システム３０等からの約定情報の受信、又は発注レコードの約定数量の更新のいずれかをトリガとして、発注レコードに対応する注文レコードの注文残数量も、２株から１株に更新される。
【００６０】
図１１のように売買注文の一部が約定した状態で立会時間が終了すると、発注レコードの約定数量は１、注文レコードの注文残数量は１のままで、約定状況は一部不出来であることを示した状態となる。この場合も、立会時間終了後に注文処理部２１によって行われる夜間取引への引継ぎの要否についての確認では、注文残数量が存在している状態であるため、夜間取引への引継ぎが必要であると判断されて、夜間取引を行うＰＴＳに売買注文を発注するための新たな発注レコードが作成される。
【００６１】
その結果、図１２に示したように、注文レコードの市場２に指定されたＰＴＳ１に、注文残数量の１株を発注するための発注レコードを作成し、注文コードによって注文レコードと関連付けて、発注レコード格納部２３２に格納する。尚、この例では、注文レコードには注文残数量を記録することとしているため、発注レコードの発注数量（株数）には注文残数量をそのまま記録すればよいが、注文レコードに約定数量を記録することとする場合には、発注レコードの発注数量（株数）には注文レコードの注文数量（株数）から約定数量を減じた数量を記録することになる。
【００６２】
図１３は、複数の注文レコードが格納された、注文レコード格納部２３１の一例を示している。主要な証券取引所における立会時間が終了する時間を経過し、注文処理部２１が起動されて、注文レコード格納部２３１に格納された、いずれも注文期限内にある注文レコードが図１３の例のようになっていた場合、夜間取引への引継ぎの要否についての確認は、以下のように行われる。
【００６３】
注文コード１２３４５−００１の注文は、注文残数量が１株となっていて、夜間取引への引継ぎの指定が有となっているので、夜間取引への引継ぎが必要であると判断される。夜間取引への引継ぎが必要であることを、市場２にＰＴＳの指定があることから判断してもよいことは、先に説明したのと同様である。この注文は一部不出来の状態なので、未約定の１株のみについての売買注文が、ＰＴＳ１に発注される。
【００６４】
注文コード１２３４５−００２と、注文コード２３４５６−００１の注文は、いずれも注文残数量が０株となっていること、又は夜間取引への引継ぎの指定が無となっていることから、夜間取引への引継ぎは不要であると判断される。夜間取引への引継ぎが不要であることは、市場２にＰＴＳの指定がないことから判断してもよい。
【００６５】
注文コード３４５６７−００２の注文は、注文残数量が２株となっていて、夜間取引への引継ぎの指定が有となっていることから、夜間取引への引継ぎが必要であると判断される。夜間取引への引継ぎが必要であることは、市場２にＰＴＳの指定があることから判断してもよい。この注文では、市場２にＰＴＳ２が指定されているため、注文コード１２３４５−００１の注文とは異なるＰＴＳに発注するための発注レコードが作成されて、未約定の２株についての売買注文がＰＴＳ２に発注される。
【００６６】
注文コード４５６７８−００１の注文は、注文残数量が１株となっているものの、夜間取引への引継ぎの指定が無となっているために、夜間取引への引継ぎは不要であると判断される。夜間取引への引継ぎが不要であることは、市場２にＰＴＳの指定がないことから判断してもよい。この場合は、該注文の不出来が確定するので、顧客端末１０に対して不出来通知の発信等を行うこととしてもよい。
【００６７】
上記のように、主要な証券取引所における立会時間が終了した後に注文レコードから発注レコードを作成するフローを示したのが、図１４のフローチャートである。主要な証券取引所における立会時間が終了した後の所定の時間が到来すると、注文データベースに格納された注文レコードが参照される（Ｓ０１）。
【００６８】
まず、該注文レコードの注文期限を経過していないかを確認する（Ｓ０２）。注文期限を経過していない場合には、該注文レコードに注文残数量が存在しているかを確認する（Ｓ０３）。注文残数量が存在している場合には、該注文レコードに夜間取引への引継ぎの指定が有るかを確認する（Ｓ０４）。指定が有る場合には、該注文レコードに指定された市場２に、注文残数量分の売買注文を発注するための発注レコードを作成する（Ｓ０５）。発注レードを作成すると、次の注文レコードがあるかを確認する（Ｓ０６）。Ｓ０２〜Ｓ０４のいずれかの要件に該当しない場合は、発注レードを作成することなく、次の注文レコードがあるかを確認する（Ｓ０６）。
【００６９】
このようにして発注レコードが作成されると、発注レコードに指定されたＰＴＳでの取引が開始される時間以前の所定の時間において、一斉に発注レコードに記憶された内容に従った売買注文が、ＰＴＳに発注される。
【図面の簡単な説明】
【００７０】
【図１】本発明にかかる売買注文発注システムの構成を示すブロック図である。
【図２】本発明にかかる売買注文発注システムにおける預り資産データベースの第１の例（現物株式）を示す図である。
【図３】本発明にかかる売買注文発注システムによって、顧客端末に表示される現物株式の注文入力画面の第１の例を示す図である。
【図４】本発明にかかる売買注文発注システムによって、顧客端末に表示される現物株式の注文入力画面の第２の例を示す図である。
【図５】本発明にかかる売買注文発注システムにおける預り資産データベースの第２の例（信用建玉）を示す図である。
【図６】本発明にかかる売買注文発注システムによって、顧客端末に表示される信用取引の注文入力画面の一例を示す図である。
【図７】本発明にかかる売買注文発注システムによって、顧客端末で選択された市場と注文レコードに記録する市場の関連付けの一例を示す図である。
【図８】本発明にかかる売買注文発注システムによる売買注文の連続発注の第１の例における、注文レコードと発注レコードの遷移を示す第１の図である。
【図９】本発明にかかる売買注文発注システムによる売買注文の連続発注の第１の例における、注文レコードと発注レコードの遷移を示す第２の図である。
【図１０】本発明にかかる売買注文発注システムによる売買注文の連続発注の第１の例における、注文レコードと発注レコードの遷移を示す第３の図である。
【図１１】本発明にかかる売買注文発注システムによる売買注文の連続発注の第２の例における、注文レコードと発注レコードの遷移を示す第１の図である。
【図１２】本発明にかかる売買注文発注システムによる売買注文の連続発注の第２の例における、注文レコードと発注レコードの遷移を示す第２の図である。
【図１３】本発明にかかる売買注文発注システムの注文レコード格納部の一例を示す図である。
【図１４】本発明にかかる売買注文発注システムによる売買注文の連続発注のための、発注レコードの作成フローを示すフローチャートである。
【符号の説明】
【００７１】
１０    顧客端末
２０    証券会社システム
２１    注文処理部
２２    注文データ更新部
２３    注文データベース
２３１  注文レコード格納部
２３２  発注レコード格納部
２４    預り資産データベース
２５    銘柄情報データベース
２６    Ｗｅｂサーバ
３０    取引所システム
４０    取引所システム
５０    ＰＴＳ
【図１】
2008016009.tif 000003
【図２】
2008016009.tif 000004
【図３】
2008016009.tif 000005
【図４】
2008016009.tif 000006
【図５】
2008016009.tif 000007
【図６】
2008016009.tif 000008
【図７】
2008016009.tif 000009
【図８】
2008016009.tif 000010
【図９】
2008016009.tif 000011
【図１０】
2008016009.tif 000012
【図１１】
2008016009.tif 000013
【図１２】
2008016009.tif 000014
【図１３】
2008016009.tif 000015
【図１４】
2008016009.tif 000016